(57)【特許請求の範囲】
【請求項１】
周方向に互いに間隔をおいて位置する複数の貫通穴を有する第１リングと、
ころの貫通穴に挿通されると共に、上記第１リングの上記貫通穴内に配置された貫通穴配置部を有するピンと、
上記第１リングの上記貫通穴の内周面に当接する外面と、軸方向の一方の側に位置する端面と、上記端面から軸方向に離れるにしたがって内径が大きくなる環状または略環状のテーパ内面とを有する外側テーパ部材と、
上記ピンの上記貫通穴配置部に当接する内面と、軸方向において上記外側テーパ部材の上記端面側とは反対側に位置する端面と、その端面から軸方向に離れるにしたがって外径が小さくなると共に、上記外側テーパ部材の上記テーパ内面に当接する環状または略環状のテーパ外面とを有する内側テーパ部材と、
ねじ部を有すると共に、上記外側テーパ部材の上記端面および上記内側テーパ部材の上記端面のうちの一方の端面に直接当接するかまたは介在物を介して当接するねじ部材と
を備え、
上記第１リングの上記貫通穴の内周面および上記ピンの外周面のうちの一方の周面は、ねじ部を有して、このねじ部は、上記ねじ部材の上記ねじ部と螺合しており、
上記第１リングの上記貫通穴の内周面および上記ピンの外周面のうちの一方の周面に連なって、上記外側テーパ部材の上記端面および上記内側テーパ部材の上記端面のうちの他方の端面に直接当接するかまたは介在物を介して当接し、上記内側テーパ部材の上記端面が軸方向において上記外側テーパ部材の上記端面側とは反対側に移動することを防止する移動防止部を有し、
上記ねじ部材と上記移動防止部とに挟まれることによって生じる軸方向の力によって、上記一方の端面および上記他方の端面が軸方向に押圧されていて、上記外側テーパ部材の上記テーパ内面と上記内側テーパ部材の上記テーパ外面とが互いに押圧しあっており、
上記外側テーパ部材の外面の上記貫通穴の上記内周面への押圧および上記内側テーパ部材の内面の上記ピンの上記貫通穴配置部への押圧のうちの少なくとも一方が行われて、上記第１リングと上記ピンとが固定され、
上記ねじ部材と、上記ねじ部材の上記ねじ部に螺合する上記ねじ部を有する上記第１リングおよび上記ピンのうちの一方の部材とに接触する溶接部を備え、
上記溶接部が、上記ねじ部材の内周面と上記ピンの外周面との間に入り込んでいることを特徴とするピンタイプ保持器。
【請求項２】
請求項１に記載のピンタイプ保持器において、
上記テーパ外面の軸線と上記テーパ外面の母線とがなす角度をαとするとき、
１／１０≦ｔａｎα≦１／３であることを特徴とするピンタイプ保持器。
【請求項３】
請求項１に記載のピンタイプ保持器において、
上記テーパ内面の軸線と上記テーパ内面の母線とがなす角度をαとするとき、
１／１０≦ｔａｎα≦１／３であることを特徴とするピンタイプ保持器。
【請求項４】
請求項１に記載のピンタイプ保持器において、
上記内側テーパ部材は、環状部材を、その周方向の一箇所以上で切断してなることを特徴とするピンタイプ保持器。
【請求項５】
請求項１に記載のピンタイプ保持器において、
上記外側テーパ部材は、環状部材を、その周方向の一箇所以上で切断してなることを特徴とするピンタイプ保持器。
【請求項６】
請求項１に記載のピンタイプ保持器において、
上記溶接部が、上記第１リングと、上記ピンと、上記ねじ部材とに接触することを特徴とするピンタイプ保持器。
【請求項７】
請求項１に記載のピンタイプ保持器において、
周方向に互いに間隔をおいて位置する複数のねじ穴を有すると共に、上記第１リングに対して上記第１リングの軸方向に間隔をおいて位置する第２リングを備え、
上記ピンは、上記第２リングの上記ねじ穴に螺合する雄ねじを有することを特徴とするピンタイプ保持器。
【請求項８】
請求項７に記載のピンタイプ保持器を組み立てるピンタイプ保持器の組立方法であって、
上記第１リングと、上記第２リングと、Ｎ個の上記ころと、上記Ｎ個の上記ピンと、上記ころの軸方向の長さよりも長い長さを有するＭ個（Ｍ＜Ｎ）のスペーサと、仮止め部材とを用意し、
上記各スペーサを、上記第１リングと上記第２リングとの間に上記第１リングの周方向に互いに間隔をおいて介在させ、
その後、上記仮止め部材によって、上記第１リングの上記貫通穴の中心軸と、上記第２リングの上記ねじ穴の中心軸とが、略同一直線上に位置している状態で、上記第１リングと上記第２リングとを互いに相対移動不可な状態に締結し、
上記ピンを、上記スペーサによって塞がれていない上記第１リングの上記貫通穴、上記ころの貫通穴の順に、挿入した後、その挿入したピンの上記雄ねじを、上記第２リングの上記ねじ穴に螺合し、
その後、上記第１リングの貫通穴と、上記ピンの貫通穴配置部との間に、上記外側テーパ部材および上記内側テーパ部材のうちの少なくとも一方を配置して、上記テーパ外面と上記テーパ内面とを当接させ、
その後、上記テーパ外面と上記テーパ内面とが互いに押圧しあうように、上記ねじ部材を、上記第１リングまたは上記ピンに螺合により締め付け、
その後、上記仮止め部材の締結を外し、
上記スペーサを外すことを特徴とするピンタイプ保持器の組立方法。
【請求項９】
請求項１に記載のピンタイプ保持器において、
上記貫通穴の上記内周面に上記ねじ部を有してこのねじ部は上記ねじ部材の上記ねじ部と螺合しており、
上記移動防止部は、上記第１リングの上記貫通穴の上記内周面に連なって上記外側テーパ部材の上記端面に直接当接するかまたは介在物を介して当接し、
さらに、周方向に互いに間隔をおいて位置する複数のねじ穴を有すると共に、上記第１リングに対して上記第１リングの軸方向に間隔をおいて位置する第２リングを備え、
上記ピンは、上記第２リングの上記ねじ穴に螺合する雄ねじを有し、
上記ピンの外周面は上記貫通穴配置部を含む外周円筒面部と上記雄ねじとからなることを特徴とするピンタイプ保持器。
【発明の詳細な説明】
【技術分野】
【０００１】
本発明は、ピンタイプ保持器に関し、特に、風力発電装置や鉄鋼圧延機等に使用する円錐ころ軸受や円筒ころ軸受で使用すれば好適なピンタイプ保持器に関する。また、本発明は、ピンタイプ保持器の組立方法に関する。
【背景技術】
【０００２】
従来、ピンタイプ保持器としては、特開２００４−２４５３９２号公報（特許文献１）に記載されているものがある。
【０００３】
このピンタイプ保持器は、第１リング、第２リング、複数のピン、および、複数の環状のブッシュを備える。
【０００４】
上記第１リングは、複数の貫通穴を有する一方、上記第２リングは、複数のねじ穴を有する。上記各貫通穴は、略第１リングの軸方向に延在し、上記各ねじ穴は、略第２リングの軸方向に延在している。上記複数の貫通穴は、第１リングの周方向に互いに間隔をおいて配置され、上記複数のねじ穴は、第２リングの周方向に互いに間隔をおいて配置されている。
【０００５】
上記ピンの一端部は、第１リングの上記貫通穴に収容される一方、上記ピンの他端部は、第２リングの上記ねじ穴に螺合されて上記第２リングに固定されている。
【０００６】
上記ブッシュは、圧入により第１リングの上記貫通穴と上記ピンの一端部との間に配置されている。上記ブッシュによって、第１リングに対して上記ピンの一端部を相対移動不可にした後、溶接を行って、第１リングに上記ピンの一端部を固定している。
【特許文献１】特開２００４−２４５３９２号公報（第１図）
【発明の開示】
【発明が解決しようとする課題】
【０００７】
上記従来のピンタイプ保持器では、貫通穴の加工を行う際、数十μｍ程度の穴径の加工ばらつきが発生することを避けがたい。このため、従来のピンタイプ保持器では、上記加工ばらつきよりも格段に小さい締め代（正確には、上記貫通穴と上記ブッシュとの所望の締め代）を実現するため、ブッシュの選択嵌合いを行うことが必要不可欠である。ここで、このブッシュの選択嵌合いに、多大な時間および労力が必要になり、このブッシュの選択嵌合いが、量産化の妨げになる。
【０００８】
また、上記従来のピンタイプ保持器では、適切なサイズのブッシュを選択して挿入することが難しくて、締め代の調整が難しい。また、締め代が誤った値に設定されたことに起因して、完全剛体でないブッシュの溶接部に局所的に大きな応力が作用して、溶接部が変形することがある。
【０００９】
そこで、本発明の課題は、第１リングの貫通穴の内周面およびこの貫通穴に配置されているピンの貫通穴配置部の外周面に所望の面圧を簡単安価に付与することができて、強度に優れ、かつ、量産化に優れるピンタイプ保持器を提供することにある。また、本発明の課題は、そのようなピンタイプ保持器の組立方法を提供することにある。
【課題を解決するための手段】
【００１０】
上記目的を達成するため、この発明のピンタイプ保持器は、
周方向に互いに間隔をおいて位置する複数の貫通穴を有する第１リングと、
ころの貫通穴に挿通されると共に、上記第１リングの上記貫通穴内に配置された貫通穴配置部を有するピンと、
上記第１リングの上記貫通穴の内周面に当接する外面と、軸方向の一方の側に位置する端面と、上記端面から軸方向に離れるにしたがって内径が大きくなる環状または略環状のテーパ内面とを有する外側テーパ部材と、
上記ピンの上記貫通穴配置部に当接する内面と、軸方向において上記外側テーパ部材の上記端面側とは反対側に位置する端面と、その端面から軸方向に離れるにしたがって外径が小さくなると共に、上記外側テーパ部材の上記テーパ内面に当接する環状または略環状のテーパ外面とを有する内側テーパ部材と、
ねじ部を有すると共に、上記外側テーパ部材の上記端面および上記内側テーパ部材の上記端面のうちの一方の端面に直接当接するかまたは介在物を介して当接するねじ部材と
を備え、
上記第１リングの上記貫通穴の内周面および上記ピンの外周面のうちの一方の周面は、ねじ部を有して、このねじ部は、上記ねじ部材の上記ねじ部と螺合しており、
上記第１リングの上記貫通穴の内周面および上記ピンの外周面のうちの一方の周面に連なって、上記外側テーパ部材の上記端面および上記内側テーパ部材の上記端面のうちの他方の端面に直接当接するかまたは介在物を介して当接し、上記内側テーパ部材の上記端面が軸方向において上記外側テーパ部材の上記端面側とは反対側に移動することを防止する移動防止部を有し、
上記ねじ部材と上記移動防止部とに挟まれることによって生じる軸方向の力によって、上記一方の端面および上記他方の端面が軸方向に押圧されていて、上記外側テーパ部材の上記テーパ内面と上記内側テーパ部材の上記テーパ外面とが互いに押圧しあっており、
上記外側テーパ部材の外面の上記貫通穴の上記内周面への押圧および上記内側テーパ部材の内面の上記ピンの上記貫通穴配置部への押圧のうちの少なくとも一方が行われて、上記第１リングと上記ピンとが固定され、
上記ねじ部材と、上記ねじ部材の上記ねじ部に螺合する上記ねじ部を有する上記第１リングおよび上記ピンのうちの一方の部材とに接触する溶接部を備え、
上記溶接部が、上記ねじ部材の内周面と上記ピンの外周面との間に入り込んでいることを特徴としている。
【００１１】
尚、この明細書では、単に、軸方向、径方向といった場合、軸方向、径方向は、ピンの軸方向、ピンの径方向を言う。
【００１２】
また、上記外側テーパ部材および内側テーパ部材の夫々は、環状部材であっても良いし、環状部材を周方向の一箇所において切断したＣ字状の略環状の部材であっても良い。また、上記外側テーパ部材および内側テーパ部材の夫々は、環状部材を周方向の二箇所以上において切断してなる複数の部材からなり、これら複数の部材が相俟って構成される略環状の部材であっても良い。
【００１３】
また、ピンの径方向の外方に位置する外側テーパ部材は、径方向に拡縮自在の方が好ましく、外側テーパ部材は、周方向の全周に亘って連続していない略環状の部材であることが好ましい。また、ピンの径方向の内方に位置する内側テーパ部材は、周方向の全周に亘って連続していない略環状の部材であることが好ましい。
また、一方の周面に連なった移動防止部とは、一方の周面と移動防止部とが、同一の部材に形成されていることを言う。
【００１４】
本発明によれば、ねじ部材の締め込み量を調整するだけで、外側テーパ部材および内側テーパ部材のうちのどちらか一方の端面を、軸方向に外側テーパ部材および内側テーパ部材のうちの他方の端面の方に押圧する力を調整できる。そして、このことにより、外側テーパ部材の外面が、第１リングの貫通穴の内周面の方に押圧される力を調整でき、また、内側テーパ部材の内面が、ピンの貫通穴配置部の外周面の方に押圧する力を調整できる。すなわち、ねじ部材を締め付ける締め付けトルクの大きさを調整するだけで、ピンと第１リングとの締め代を、所望の締め代に設定できる。したがって、第１リングの貫通穴の加工に、厳しい加工精度を必要としなくても、ピンと第１リングとの締め代を、所望の締め代に精度良く設定できるから、第１リングとピンとの接合部の強度を容易に所望の強度にすることができる。
【００１５】
また、本発明によれば、上記ねじ部材を締め付ける締め付けトルクの大きさを調整するだけで、ピンと第１リングとの締め代の管理および調整を簡単安価に行うことができる。したがって、構成部品の選択嵌合いを行う必要がないから、従来のピンタイプ保持器、すなわち、作製の過程でブッシュの選択嵌合いを行う必要があるピンタイプ保持器と比較して、組み立てを格段に容易に行うことができて、量産性を格段に向上することができる。
【００１６】
また、本発明によれば、外側テーパ部材および内側テーパ部材の夫々が、単独の部材であるから、第１リングの貫通穴の加工や、ピンの貫通穴配置部の加工を容易に行うことができる。また、上記ねじ部材と、このねじ部材と当接する外側テーパ部材および内側テーパ部材のうちの一方の部材とが、別体であるから、ねじ部材を締め込む際、ねじ部材と上記一方の部材とが滑り接触し易い一方、テーパ外面とテーパ内面とが滑りにくい。したがって、ねじ部材を容易に締め込むことができる。
【００１７】
また、本発明によれば、溶接部を有するから、所望の締め代を維持できて、所望の強度を維持できる。
【００１８】
【００１９】
【００２０】
【００２１】
【００２２】
【００２３】
【００２４】
また、一実施形態では、
上記テーパ外面の軸線と上記テーパ外面の母線とがなす角度をαとするとき、
１／１０≦ｔａｎα≦１／３である。
【００２５】
また、一実施形態では、
上記テーパ内面の軸線と上記テーパ内面の母線とがなす角度をαとするとき、
１／１０≦ｔａｎα≦１／３である。
【００２６】
テーパ外面の軸線と上記テーパ外面の母線とがなす角度や、テーパ内面の軸線と上記テーパ内面の母線とがなす角度をαとしたとき、ｔａｎα＞１／３では、テーパ外面や、テーパ内面が受ける垂直抗力のうちの径方向の分力が小さいから、軸方向に力が付与されても、径方向に力が付与されにくい。これに対し、ｔａｎα≦１／３では、軸方向に付与された力を、効率よく径方向の力に変えることができる。尚、ｔａｎα≦１／５とすると、軸方向に付与された力を、格段に効率よく径方向の力に変えることができる。
【００２７】
また、ｔａｎα＜１／１０では、当接する周面（第１リングの貫通穴の内周面、ピンの貫通穴配置部の外周面）の精度を非常に良くしないと、押圧可能な軸方向の範囲が大きくばらつき、第１リングやピンの長さを長くしなければならなくなる。このため、ピンタイプ保持器が大型化し、また、製造の材料費がかさむことになる。これに対し、ｔａｎα≧１／１０では、押圧可能な軸方向の範囲のばらつきが小さく、ピンタイプ保持器が大型化することがなく、製造の材料費がかさむことがない。尚、ｔａｎα≧１／７とすると、ピンタイプ保持器をいっそうコンパクトにできて、製造の材料費を大きく抑制できる。
【００２８】
尚、テーパ外面の軸線と上記テーパ外面の母線とがなす角度と、テーパ内面の軸線と上記テーパ内面の母線とがなす角度とは、同一であると好ましいが、これら二つの角度は、異なっていても良い。
【００２９】
また、一実施形態では、
上記内側テーパ部材は、環状部材を、その周方向の一箇所以上で切断してなる。
【００３０】
上記実施形態によれば、内側テーパ部材を容易に縮径することができる。
【００３１】
また、一実施形態では、
上記外側テーパ部材は、環状部材を、その周方向の一箇所以上で切断してなる。
【００３２】
上記実施形態によれば、外側テーパ部材を容易に拡径することができる。
【００３３】
また、一実施形態では、
上記溶接部が、上記第１リングと、上記ピンと、上記ねじ部材とに接触する。
【００３４】
上記実施形態によれば、上記ピンが第１リングから抜け出ることを抑制できる。
【００３５】
また、一実施形態では、
周方向に互いに間隔をおいて位置する複数のねじ穴を有すると共に、上記第１リングに対して上記第１リングの軸方向に間隔をおいて位置する第２リングを備え、
上記ピンは、上記第２リングの上記ねじ穴に螺合する雄ねじを有する。
【００３６】
上記実施形態によれば、ピンが、第２リングに螺合するようになっているから、ピンタイプ保持器を容易に組み立てできる。
また、一実施形態では、
上記貫通穴の上記内周面に上記ねじ部を有してこのねじ部は上記ねじ部材の上記ねじ部と螺合しており、
上記移動防止部は、上記第１リングの上記貫通穴の上記内周面に連なって上記外側テーパ部材の上記端面に直接当接するかまたは介在物を介して当接し、
さらに、周方向に互いに間隔をおいて位置する複数のねじ穴を有すると共に、上記第１リングに対して上記第１リングの軸方向に間隔をおいて位置する第２リングを備え、
上記ピンは、上記第２リングの上記ねじ穴に螺合する雄ねじを有し、
上記ピンの外周面は上記貫通穴配置部を含む外周円筒面部と上記雄ねじとからなる。
【００３７】
また、本発明のピンタイプ保持器の組立方法は、
本発明のピンタイプ保持器を組み立てるピンタイプ保持器の組立方法であって、
上記第１リングと、上記第２リングと、Ｎ個の上記ころと、上記Ｎ個の上記ピンと、上記ころの軸方向の長さよりも長い長さを有するＭ個（Ｍ＜Ｎ）のスペーサと、仮止め部材とを用意し、
上記各スペーサを、上記第１リングと上記第２リングとの間に上記第１リングの周方向に互いに間隔をおいて介在させ、
その後、上記仮止め部材によって、上記第１リングの上記貫通穴の中心軸と、上記第２リングの上記ねじ穴の中心軸とが、略同一直線上に位置している状態で、上記第１リングと上記第２リングとを互いに相対移動不可な状態に締結し、
上記ピンを、上記スペーサによって塞がれていない上記第１リングの上記貫通穴、上記ころの貫通穴の順に、挿入した後、その挿入したピンの上記雄ねじを、上記第２リングの上記ねじ穴に螺合し、
その後、上記第１リングの貫通穴と、上記ピンの貫通穴配置部との間に、上記外側テーパ部材および上記内側テーパ部材のうちの少なくとも一方を配置して、上記テーパ外面と上記テーパ内面とを当接させ、
その後、上記テーパ外面と上記テーパ内面とが互いに押圧しあうように、上記ねじ部材を、上記第１リングまたは上記ピンに螺合により締め付け、
その後、上記仮止め部材の締結を外し、
上記スペーサを外すことを特徴としている。
【００３８】
本発明によれば、本発明のピンタイプ保持器を容易に組み立てできる。
【発明の効果】
【００３９】
本発明のピンタイプ保持器によれば、ねじ部材を締め付ける締め付けトルクの大きさを調整するだけで、ピンと第１リングとの締め代を、所望の締め代に精度良く設定できる。したがって、第１リングとピンとの接合部の強度を、容易に所望の強度にすることができる。
【００４０】
また、本発明のピンタイプ保持器によれば、ねじ部材を締め付ける締め付けトルクの大きさを調整するだけで、ピンと第１リングとの締め代の管理および調整を簡単安価に行うことができる。したがって、従来のピンタイプ保持器と異なり、構成部品の選択嵌合いを行う必要がないから、組み立てを格段に容易に行うことができて、量産性を格段に向上させることができる。
【図面の簡単な説明】
【００４１】
【図１】本発明の第１実施形態の円錐ころ軸受の軸方向の断面の端面図である。
【図２】第１実施形態のピンタイプ保持器の製造途中の状態を示す軸方向の切断面の端面図である。
【図３】第１実施形態のピンタイプ保持器の製造途中の状態を示す軸方向の切断面の端面図である。
【図４】本発明の第２実施形態の円錐ころ軸受の軸方向の断面の端面図である。
【図５】本発明の第３実施形態の円錐ころ軸受の軸方向の断面の端面図である。
【図６】本発明の第４実施形態の円錐ころ軸受の軸方向の断面の端面図である。
【図７】本発明の第５実施形態の円錐ころ軸受の軸方向の断面の端面図である。
【図８】本発明の第６実施形態の円錐ころ軸受の軸方向の断面の端面図である。
【図９】第１、３、４、５および６実施形態の外側テーパ部材の斜視図である。
【図１０】第１、２、３、４および６実施形態の内側テーパ部材の斜視図である。
【図１１】第１、２および３実施形態のねじ部材の斜視図である。
【図１２】第４、５および６実施形態のねじ部材の斜視図である。
【発明を実施するための最良の形態】
【００４２】
以下、本発明を図示の実施の形態により詳細に説明する。
【００４３】
図１は、本発明の第１実施形態の円錐ころ軸受の軸方向の断面の端面図である。
【００４４】
この円錐ころ軸受は、環状の外輪７０、環状の内輪６８、複数の円錐ころ６０、環状のピンタイプ保持器１００を備える。上記複数の円錐ころ６０は、外輪７０の内周に形成された円錐軌道面と、内輪６８の外周に形成された円錐軌道面との間に、ピンタイプ保持器１００に保持された状態で、周方向に間隔をおいて配置されている。
【００４５】
上記ピンタイプ保持器１００は、環状の第１リング１、環状の第２リング２、複数の略丸棒状のピン３、外側テーパ部材４、内側テーパ部材５、ねじ部材６および溶接部７を備える。
【００４６】
上記第１リング１は、複数の貫通穴３１を有し、各貫通穴３１は、第１リング１の軸方向の一方の端面から他方の端面まで軸中心が直線状に延在している。また、上記複数の貫通穴３１は、第１リング１の周方向に、互いに略等しい間隔をおいた状態で配置されている。
【００４７】
上記貫通穴３１の内周面は、軸方向の外方（軸方向の第２リング２側とは反対側）の端部に、雌ねじ３２を有する。この雌ねじ３２は、第１リング１の貫通穴３１の内周面の第２リング２側とは反対側の端部から延在している。また、上記貫通穴３１の内周面は、その軸方向の内方側（軸方向の第２リング２側）の端部に、移動防止部としてのリング状のテーパ部材受止部３３を有する。上記テーパ部材受止部３３は、第１リング１の径方向の内方に突出している。また、上記貫通穴３１の内周面は、軸方向において、雌ねじ３２と、テーパ部材受止部３３との間に、円筒内周面からなる円筒内周面部３４を有する。
【００４８】
上記第２リング２は、第１リング１に対して第１リング１の軸方向に間隔をあけて設けられている。上記第２リング２は、複数のねじ穴２１を有し、各ねじ穴２１は、第２リング２の軸方向の一方の端面から他方の端面まで直線状に延在している。上記各ねじ穴２１は、貫通穴であり、その貫通穴の内周面の略全面に雌ねじが切ってある。上記複数のねじ穴２１は、第２リング２の周方向に、互いに略等しい間隔をおいた状態で配置されている。上記各ねじ穴２１の軸中心は、第１リング１の複数の貫通穴３１の軸中心のうちの一つと、略同一直線上に位置している。
【００４９】
上記各ピン３は、円錐ころ６０の貫通穴６１に挿通されるようになっている。尚、この実施形態では、例として円錐ころを図示したが、この発明では、ころは、円筒ころでも、凸面（球面）ころでも良い。上記貫通穴６１は、円錐ころ６０の外周転動面の軸中心に沿って延在している。上記各ピン３は、軸方向の一端部に外周円筒面部４１を有する一方、軸方向の他端部の外周面に雄ねじ４２を有している。詳しくは、この雄ねじ４２は、軸方向の他端部の外周面の軸端から形成されている。上記雄ねじ４２は、組立後に、円錐ころ６０と接触しないようになっている。上記第２リング２のねじ穴２１の第１リング１側は、面取りされている。上記雄ねじ４２の不完全ねじ部は、第２リング２の面取り部内に収納されている。
【００５０】
上記各ピン３は、上記円錐ころ６０の貫通穴６１に挿通された後、その一端部を、第１リング１に固定する一方、その他端部の雄ねじ４２を、第２リング２のねじ穴２１に螺合して固定するようになっている。尚、上記各ピン３の上記一端部のうちで第１リング１の貫通穴３１に配置されている部分は、貫通穴配置部を構成している。上記各ピン３の第１リング１側の端面は、一字状の切欠き６４を有している。この切欠き６４に挿入された治具（図示せず）によって、ピン３にトルクを付与することにより、第２リング２のねじ穴２１に、ピン３の雄ねじ４２を螺合するようになっている。
【００５１】
次に、上記外側テーパ部材４、内側テーパ部材５およびねじ部材６について説明する。図９は、上記外側テーパ部材４の斜視図である。図９に示すように、上記外側テーパ部材４は、円周方向１カ所が切断され、Ｃ型構造を有している。詳しくは、上記外側テーパ部材４は、軸中心が同一である円筒外周面および円錐内周面を有する環状部材を、円周方向の１カ所において軸方向に切断してなる形状をしている。
【００５２】
図１に示すように、上記外側テーパ部材４は、第１リング１の貫通穴３１内に配置されている。上記外側テーパ部材４は、テーパ内面としての円錐内周面（厳密には、周面ではないが、以下周面と表現する）を有している。この円錐内周面の小径側は、軸方向の第２リング２側に位置している。また、上記外側テーパ部材４において、外面としての円筒外周面（厳密には、周面ではないが、以下周面と表現する）は、第１リング１の貫通穴３１の円筒内周面部３４に当接している。また、上記外側テーパ部材４の軸方向の第２リング２側の端面は、第１リング１のテーパ部材受止部３３の軸方向の端面に当接している。上記テーパ部材受止部３３は、外側テーパ部材４を軸方向に移動不可にする役割を果たしている。
【００５３】
また、図１０は、上記内側テーパ部材５の斜視図である。図１０に示すように、上記内側テーパ部材５は、外側テーパ部材４と同様に円周方向の１カ所が切断され、Ｃ型構造を有している。上記内側テーパ部材５は、テーパ外面としての円錐外周面（厳密には、周面ではないが、以下周面と表現する）および内面としての円筒内周面（厳密には、周面ではないが、以下周面と表現する）を有している。図１に示すように、上記内側テーパ部材５は、外側テーパ部材４の径方向（ピン３の径方向）の内方に配置されている。上記内側テーパ部材５は、第１リング１の貫通穴３１内に配置されている。上記内側テーパ部材５の円錐外周面の小径側は、軸方向の第２リング２側に位置している。上記内側テーパ部材５の円錐外周面は、外側テーパ部材４の上記円錐内周面に当接し、内側テーパ部材５の円筒内周面は、ピン３の上記貫通穴配置部の外周面に当接している。上記内側テーパ部材５の軸方向の第２リング２側とは反対側の端面は、外側テーパ部材４の軸方向の第２リング２側とは反対側の端面よりも、軸方向の第２リング２側とは反対側（軸方向の外方側）に位置している。
【００５４】
また、図１１は、上記ねじ部材６の斜視図である。図１１に示すように、上記ねじ部材６は、略円筒状の環状部材であって、外周面と、円筒内周面とを有し、上記外周面の略全体に雄ねじが形成されている。図１に示すように、上記ねじ部材６の円筒内周面の内径は、ピン３の第１リング１側の一端部の外周面の外径よりも大きくなっている。上記ねじ部材６は、ピン３に対して間隔をおいて位置している。上記ねじ部材６は、第１リング１の貫通穴３１の内周面と、ピン３の軸方向の一端部の外周面との間に軸方向に挿入されている。上記ねじ部材６の上記雄ねじは、第１リング１の貫通穴３１の雌ねじ３２に螺合している。上記ねじ部材６の外周面において外側テーパ部材４側の端部は、面取がされ、第１リング１の雌ねじ３２に対して間隔をおいて位置している。上記ねじ部材６の外周面の上記端部には、雄ねじが存在していなくて、上記ねじ部材６の外周面の上記端部は、雌ねじ３２から間隔をおいて位置している。図１１に示すように、上記ねじ部材６の軸方向の内側テーパ部材５側とは反対側の端面は、十字の切り欠きを有している。尚、ねじ部材が、十字の切り欠きを有する点は、以下に説明する全ての実施形態で共通の構成である。上記切り欠きは、ねじ部材６の内周と外周とを貫通して、外周面において雌ねじ３２を有する部分に径方向に開口している。上記ねじ部材６は、この十字の切り欠きに差し込まれた治具によって締め込まれるようになっている。
【００５５】
上記内側テーパ部材５は、ねじ部材６から軸方向に第２リング２側へ力を受け、このことに起因して、外側テーパ部材４の円錐内周面が、内側テーパ部材５の円錐外周面から、内側テーパ部材５の円錐外周面の法線方向の力を受けるようになっている。そして、このことに起因して、外側テーパ部材４が拡径して、外側テーパ部材４の円筒外周面が第１リング１の貫通穴３１の円筒内周面部３４に押圧されるようになっている。また、同じく、上記内側テーパ部材５は、ねじ部材６から軸方向に第２リング２側への力を受け、このことに起因して、内側テーパ部材５の円錐外周面が、外側テーパ部材４の円錐内周面から、外側テーパ部材４の円錐内周面の法線方向の力を受けるようになっている。そして、このことに起因して、内側テーパ部材５が縮径して、内側テーパ部材５の円筒内周面がピン３の貫通穴配置部の外周面に押圧されるようになっている。
【００５６】
上記ねじ部材６の締め付けトルクは、外側テーパ部材４の円筒外周面が第１リング１の貫通穴３１の円筒内周面部３４を押圧する力及び内側テーパ部材５の円筒内周面がピン３の貫通穴配置部の外周面を押圧する力が所定の力（仕様の夫々において、規格で規定された力）になるように、調整されている。
【００５７】
上記溶接部７は、ピン３の軸方向の第１リング１側の一端部および第１リング１に接触している。上記溶接部７の一部は、ねじ部材６の内周面と、ピン３の外周面との間に入り込んでいる。上記溶接部７は、ピン３の一端部を第１リング１に固定し、ピン３が第１リング１から抜けでることを防止し、第１リングに対してねじ部材６が相対回転することを防止している。すなわち、上記溶接部７は、第１リング１に対するねじ部材６の相対位置を、所定の相対位置に固定する役割を果たしている。このようにして、外側テーパ部材４の円筒外周面が、第１リング１の貫通穴３１の円筒内周面部３４を押圧する力を、長期に亘って所定の力に維持し、また、内側テーパ部材５の円筒内周面が、ピン３の貫通穴配置部の外周面を押圧する力を、長期に亘って所定の力に維持している。溶接部は、他の実施形態においても、少なくとも、第１リングと、ピンとのうちでねじ部材と螺合する一方の部材と、ねじ部材とに接触することが好ましく、更には、第１リングと、ピンと、ねじ部材とに接触することが好ましい。
【００５８】
尚、第１実施形態では、上記雌ねじ３２の一部および不完全ねじ部は、外側テーパ部材４の一部に径方向に重なると共に、内側テーパ部材５の一部に径方向に重なっている。また、上記雌ねじ３２の一部および不完全ねじ部は、外側テーパ部材４の円錐内周面において円錐外周面と当接している部分の一部に径方向に重なっている。尚、上記雌ねじ３２の一部および不完全ねじ部は、上記円錐内周面において円錐外周面と当接している部分の１／２以下の部分、好ましくは、１／３以下の部分に重なることが好ましい。更に好ましくは、上記雌ねじの一部および不完全ねじ部は、テーパ内面においてテーパ外面と当接している部分に軸方向に間隔をおいて位置する方が良い。
【００５９】
また、上記内側テーパ部材５のテーパ外面としての円錐外周面の軸線と、その円錐外周面の母線とがなす角度をαとするとき、１／１０≦ｔａｎα≦１／３になっている。また、上記外側テーパ部材４のテーパ内面としての円錐内周面の軸線と、その円錐内周面の母線とがなす角度をβとするとき、１／１０≦ｔａｎβ≦１／３になっている。
【００６０】
仮に、テーパ外面の軸線と上記テーパ外面の母線とがなす角度をαとしたとき、ｔａｎα＞１／３になっていると、テーパ外面が受ける垂直抗力のうちの径方向の分力が小さいから、軸方向に力が付与されても、径方向に力が付与されにくい。また、同様に、仮に、テーパ内面の軸線と上記テーパ内面の母線とがなす角度をβとしたとき、ｔａｎβ＞１／３になっていると、テーパ内面が受ける垂直抗力のうちの径方向の分力が小さいから、軸方向に力が付与されても、径方向に力が付与されにくい。
【００６１】
これに対し、第１実施形態のように、ｔａｎα≦１／３が成立すると、軸方向に付与された力を、効率よく径方向の力に変えることができる。尚、ｔａｎα≦１／５とすると、軸方向に付与された力を、格段に効率よく径方向の力に変えることができる。また、同様に、ｔａｎβ≦１／３が成立すると、軸方向に付与された力を、効率よく径方向の力に変えることができる。尚、ｔａｎβ≦１／５とすると、軸方向に付与された力を、格段に効率よく径方向の力に変えることができる。
【００６２】
また、仮に、ｔａｎα＜１／１０になっていると、当接する周面（第１リングの貫通穴の内周面、ピンの貫通穴配置部の外周面）の精度を非常に良くしないと、押圧可能な軸方向の範囲が大きくばらつき、第１リングやピンの長さを長くしなければならなくなる。このため、ピンタイプ保持器が大型化し、また、製造の材料費がかさむことになる。また、同様に、ｔａｎβ＜１／１０になっていると、当接する周面（第１リングの貫通穴の内周面、ピンの貫通穴配置部の外周面）の精度を非常に良くしないと、押圧可能な軸方向の範囲が大きくばらつき、第１リングやピンの長さを長くしなければならなくなる。このため、ピンタイプ保持器が大型化し、また、製造の材料費がかさむことになる。
【００６３】
これに対し、第１実施形態のように、ｔａｎα≧１／１０が成立すると、押圧可能な軸方向の範囲のばらつきが小さく、ピンタイプ保持器１００が大型化することがなく、製造の材料費がかさむことがない。尚、ｔａｎα≧１／７とすると、ピンタイプ保持器をいっそうコンパクトにできて、製造の材料費を大きく抑制できる。また、同様に、ｔａｎβ≧１／１０が成立すると、押圧可能な軸方向の範囲のばらつきが小さく、ピンタイプ保持器１００が大型化することがなく、製造の材料費がかさむことがない。尚、ｔａｎβ≧１／７とすると、ピンタイプ保持器をいっそうコンパクトにできて、製造の材料費を大きく抑制できる。
【００６４】
また、上記円錐ころ６０の大径端面は、内輪６８の大鍔に当接している一方、円錐ころ６０の小径端面は、内輪６８の小鍔に間隔をおいて位置している。
【００６５】
図２および図３は、第１実施形態のピンタイプ保持器１００の製造途中の状態を示す軸方向の切断面の端面図である。以下、図２および図３を用いて、第１実施形態のピンタイプ保持器１００の製造方法の一例について説明する。
【００６６】
先ず、図示しない内輪載置台に、内輪６８の大端面５１を配置し、続いて、上記内輪載置台上に、リング載置台５２を載置し、その後、リング載置台５２に第２リング２を載置する。
【００６７】
続いて、複数の円筒状のスペーサ５４を、第２リング２上に周方向に分散させて載置し、続いて、第１リング１を、上記複数のスペーサ５４の第２リング２側とは反対側に載置する。尚、上記スペーサ５４の長さは、円錐ころ６０の長さよりも所定の長さ長くなっている。ここで、上記所定の長さとは、完成品の円錐ころ軸受において、第１リング１の円錐ころ６０側の端面と、円錐ころ６０の第１リング１側の端面との距離を、第２リング２の円錐ころ６０側の端面と、円錐ころ６０の第２リング２側の端面との距離に足した値に略等しくなっている。
【００６８】
続いて、仮止め部材の一例としてのボルト５７を、その頭部と反対側から、第１リング１の貫通穴３１と、スペーサ５４の貫通穴５６とを挿通させて、その後、第２リング２のねじ穴２１に螺合する。この螺合は、上記ボルト５７の頭部の下面と、第１リング１とが接触し、かつ、第１リング１の端面と、スペーサ５４の第１リング１側の端面とが接触し、かつ、スペーサ５４の第２リング２側の端面と、第２リング２の端面とが接触するまで行う。図２は、この状態を示している。このようにして、上記第１リング１と第２リング２とを仮止めし、第１リング１に対する第２リング２の軸方向および径方向の位置決めを行う。尚、上記ボルト５７の数は、スペーサ５４の数と同一であり、第１リング１の貫通穴３１の数よりも少なくなっている。尚、上記ボルト５７の数は、３以上であることが好ましく、スペーサ５４の数は、３以上であることが好ましい。
【００６９】
次に、図３を参照して、上記ボルト５７が挿通されていない、第１リング１の貫通穴３１と、第２リング２のねじ穴２１との間に、円錐ころ６０の貫通穴６１が重なるように、円錐ころ６０を配置する。そして、その後、上記ピン３を、ピン３の雄ねじ４２側から、第１リング１の貫通穴３１、円錐ころ６０の貫通穴６１に挿通して、更に、ピン３の雄ねじ４２を、第２リング２のねじ穴２１に螺合する。
【００７０】
続いて、上記外側テーパ部材４を、貫通穴３１のテーパ部材受止部３３側とは反対側、かつ、外側テーパ部材４の円錐内周面の小径側から、外側テーパ部材４の軸方向の端面がテーパ部材受止部３３に当接するまで、貫通穴３１に軸方向に挿入する。
【００７１】
続いて、上記内側テーパ部材５を、貫通穴３１のテーパ部材受止部３３側とは反対側、かつ、内側テーパ部材５の円錐外周面の小径側から、貫通穴３１に軸方向に挿入して、内側テーパ部材５の円錐外周面の一部を、外側テーパ部材４の円錐内周面の一部に当接させる。
【００７２】
続いて、上記ねじ部材６の雄ねじを、第１リング１の貫通穴３１の雌ねじ３２に螺合して、軸方向の第２リング２側にねじ込んで、ねじ部材６で、内側テーパ部材５の軸方向の第２リング２側とは反対側の端面を軸方向に第２リング２の方に押圧する。このようにして、外側テーパ部材４の軸方向の端面と、内側テーパ部材５の軸方向の端面とを、ねじ部材６とテーパ部材受止部３３とで軸方向に挟み、外側テーパ部材４の円錐内周面と、内側テーパ部材５の円錐外周面とが互いに押圧しあうようにする。このようにして、上記外側テーパ部材４の円筒外周面を第１リング１の貫通穴３１の円筒内周面部３４の方に押圧すると共に、内側テーパ部材５の円筒内周面をピン３の貫通穴配置部の外周面の方に押圧する。ここで、上記ねじ部材６に所定の締め付けトルクを与えて、外側テーパ部材４の円筒外周面が第１リング１の貫通穴３１の円筒内周面部３４を押圧する力を、所定の力になるように調整し、また、内側テーパ部材５の円筒内周面がピン３の貫通穴配置部の外周面を押圧する力が、所定の力になるように調整する。
【００７３】
続いて、再度、図２を参照して、上記ボルト５７を外すと共に、スペーサ５４を外した後、上述の方法で、このボルト５７が外された第１リング１の貫通穴３１、円錐ころ６０の貫通穴６１（図３参照）、第２リング２のねじ穴２１に、ピン３を挿入すると共に螺合して、第１リング１、第２リング２、円錐ころ６０、ピン３、外側テーパ部材４および外側テーパ部材５を一体にする。図３は、この状態を示している。
【００７４】
最後に、外側テーパ部材４の円筒外周面が、第１リング１の貫通穴３１の円筒内周面部３４を押圧する力、及び、内側テーパ部材５の円筒内周面が、ピン３の貫通穴配置部の外周面を押圧する力が、所定の力になるように調整されている状態で、溶接によって、ピン３、ねじ部材６および第１リング１を、互いに相対移動しないように一体にする。このようにして、上記ピン３およびねじ部材６を、第１リング１に固定して、第１リング１とピン３との固定を完了する。
【００７５】
尚、上述の方法では、スペーサ５４として、円筒形状のものを使用して、ボルト５７を、スペーサ５４の貫通穴５６に挿通して、仮止めした。しかしながら、この発明では、スペーサは、円筒状の形状でなくても良く、例えば、円柱状の形状等であっても良い。そして、円柱状等の形状を有するスペーサを、第１リングと第２リングの間に挟み込むように配置して、ボルトで仮止めしても良い。
【００７６】
上記第１実施形態のピンタイプ保持器１００によれば、ねじ部材６の締め込み量を調整するだけで、内側テーパ部材５の軸方向の第２リング２側とは反対側の端面が、軸方向の第２リング２の方に押圧する力を調整できる。したがって、上記外側テーパ部材４の円筒外周面を第１リング１の貫通穴３１の内周面の方に押圧する力を調整できて、内側テーパ部材５の円筒内周面をピン３の貫通穴配置部の外周面の方に押圧する力を調整できる。すなわち、上記ねじ部材６を締め付ける締め付けトルクの大きさを調整するだけで、ピン３と第１リング２との締め代を、所望の締め代に精度良く設定できる。
【００７７】
したがって、上記第１リング１の貫通穴３１の加工に、厳しい加工精度を必要としなくても、ピン３と第１リング１との締め代を、所望の締め代に精度良く設定でき、第１リング１とピン３との接合部の強度を容易に所望の強度にすることができる。
【００７８】
また、ねじ部材６を締め付ける締め付けトルクの大きさを調整するだけで、ピン３と第１リング１との締め代の管理および調整を簡単安価に行うことができる。したがって、構成部品の選択嵌合いを行う必要がないから、従来のピンタイプ保持器、すなわち、作製の過程でブッシュの選択嵌合いを行う必要があるピンタイプ保持器と比較して、組み立てを格段に容易に行うことができて、量産性を格段に向上させることができる。
【００７９】
尚、上記第１実施形態のピンタイプ保持器１００では、二つのテーパ部材４,５のうちでピン３の径方向の外方に位置する外側テーパ部材４として、軸中心が同一である円筒外周面および円錐内周面を有する環状部材を、円周方向１カ所において切断してなるＣ型構造を有する部材を使用した。
【００８０】
しかしながら、この発明では、二つのテーパ部材のうちでピンの径方向の外方に位置する外側テーパ部材を、軸中心が同一である円筒外周面および円錐内周面を有する環状部材を、その環状部材の軸中心を含む平面でＰ（Ｐは、２以上の自然数）分割に切断したときに形成されるＰ個の第１部分、第２部分、…、第Ｐ部分で構成しても良い。そして、外側テーパ部材として、それらＰ個の部分が相俟って構成される略環状の部材を使用しても良い。また、この発明では、外側テーパ部材は、分割がされていない環状部材であっても良い。
【００８１】
また、上記第１実施形態のピンタイプ保持器１００では、二つのテーパ部材のうちでピン３の径方向の内方に位置する内側テーパ部材５として、軸中心が同一である円錐外周面および円筒内周面を有する環状部材を、円周方向１カ所において切断してなるＣ型構造を有する部材を使用した。
【００８２】
しかしながら、この発明では、二つのテーパ部材のうちでピンの径方向の内方に位置する内側テーパ部材として、軸中心が同一である円錐外周面および円筒内周面を有する環状部材を、その環状部材の軸中心を含む平面でＱ（Ｑは、２以上の自然数）分割に切断したときに形成されるＱ個の第１部分、…、第Ｑ部分で構成しても良い。そして、内側テーパ部材として、それらＱ個の部分が相俟って構成される略環状の部材を使用しても良い。
【００８３】
また、上記第１実施形態のピンタイプ保持器１００では、第１リング１の貫通穴３１が、第１リング１の軸方向の円錐ころ６０側の端面に略垂直な方向に延在し、また、第２リング２のねじ穴２１が、第２リング２の軸方向の円錐ころ６０側の端面に略垂直な方向に延在していた。しかしながら、この発明では、第１リングの貫通穴は、第１リングの軸方向のころ側の端面に垂直でない方向に延びていても良く、第２リングのねじ穴は、第２リングの軸方向のころ側の端面に垂直でない方向に延びていても良い。
【００８４】
また、上記第１実施形態のピンタイプ保持器１００では、第１リング１の貫通穴３１の軸中心および第２リング２のねじ穴２１の軸中心は、ピンタイプ保持器の軸方向に鋭角をなす方向に延在していた。しかしながら、この発明では、第１リング１の貫通穴の軸中心は、ピンタイプ保持器の軸方向に略平行な方向に延在していても良く、第２リングのねじ穴の軸中心は、ピンタイ保持器の軸方向に略平行な方向に延在していても良い。
【００８５】
また、上記第１実施形態のピンタイプ保持器１００では、外側テーパ部材４及び内側テーパ部材５のいずれもがＣ型構造を有する部材としたが、外側テーパ部材及び内側テーパ部材の夫々は、環状部材でも、Ｃ型構造を有する略環状の部材でも、二以上の部材が相俟って形成される略環状の部材でも、いずれでも良い。
【００８６】
尚、外側テーパ部材を環状部材とした場合は、ねじ部材で外側テーパ部材または内側テーパ部材の軸方向の第２リング側とは反対側の端面を、軸方向に第２リングの方に押圧して、内側テーパ部材の円筒内周面をピンの貫通穴配置部の外周面の方に押圧する。一方、内側テーパ部材を環状部材とした場合は、ねじ部材で外側テーパ部材または内側テーパ部材の軸方向の第２リング２側とは反対側の端面を、軸方向に第２リングの方に押圧して、外側テーパ部材の円筒外周面を第１リングの貫通穴の円筒内周面部の方に押圧する。
【００８７】
また、上記第１実施形態のピンタイプ保持器１００では、外側テーパ部材４において円錐内周面の小径側の端面の法線方向は、外側テーパ部材４の軸線に対して一致していたが、この発明では、外側テーパ部材において円錐内周面の小径側の端面の法線方向は、外側テーパ部材の軸線に対して傾斜していても良い（直角方向除く）。
【００８８】
また、上記第１実施形態のピンタイプ保持器１００では、内側テーパ部材５において円錐外周面の大径側の端面の法線方向は、内側テーパ部材５の軸線に対して一致していたが、この発明では、内側テーパ部材において円錐外周面の大径側の端面の法線方向は、内側テーパ部材の軸線に対して傾斜していても良い（直角方向除く）。
【００８９】
また、上記第１実施形態のピンタイプ保持器１００では、リング状のテーパ部材受止部３３の軸方向の第２リング側とは反対側の端面の法線方向は、貫通穴３１の軸線に対して一致していたが、この発明では、リング状のテーパ部材受止部の軸方向の第２リング側とは反対側の端面の法線方向は、貫通穴の軸線に対して傾斜していても良い（直角方向除く）。
【００９０】
また、上記第１実施形態のピンタイプ保持器１００では、第１リング１の貫通穴３１の数と、第２リング２のねじ穴２１の数と、ピン３の数とが、全て同一であったが、この発明では、第１リングの貫通穴の数と、第２リングのねじ穴の数とが同一または異なる数であって、ピンの数が、第１リングの貫通穴の数および第２リングのねじ穴の数の少なくとも一方よりも少なくても良い。
【００９１】
また、上記第１実施形態のピンタイプ保持器１００では、テーパ内面が、略円錐内周面であった。しかしながら、この発明では、環状または略環状のテーパ内面は、軸方向の片側に行くにしたがって内径が比例的（一次関数的）に大きくなる面である必要はなく、軸方向の片側に行くにしたがって内径が大きくなる面であれば、如何なる面であっても良い。
【００９２】
また、上記第１実施形態のピンタイプ保持器１００では、テーパ外面が、略円錐外周面であった。しかしながら、この発明では、環状または略環状のテーパ外面は、軸方向の片側に行くにしたがって外径が比例的（一次関数的）に大きくなる面である必要はなく、軸方向の片側に行くにしたがって外径が大きくなる面であれば、如何なる面であっても良い。
【００９３】
また、上記第１実施形態のピンタイプ保持器１００では、ねじ部材６の端面と、内側テーパ部材５の軸方向の端面とが直接接触していたが、この発明では、ねじ部材の端面と、内側テーパ部材の軸方向の端面とが、例えば、ワッシャのような介在物を介して接触していても良い。また、上記第１実施形態のピンタイプ保持器１００では、テーパ部材受止部分３３と、外側テーパ部材４の軸方向の端面とが直接接触していたが、この発明では、テーパ部材受止部分と、外側テーパ部材の軸方向の端面とが、例えば、ワッシャのような介在物を介して接触していても良い。外側テーパ部材の軸方向の端面と、内側テーパ部材の軸方向の端面とが、ねじ部材と、移動防止部としてのテーパ部材受止部とで軸方向に挟まれ、外側テーパ部材の円錐内周面と、内側テーパ部材の円錐外周面とが、互いに押圧しあうことができるなら、上記のように介在物を介していても良いのである。
【００９４】
図４は、本発明の第２実施形態の円錐ころ軸受の軸方向の断面の端面図である。
【００９５】
第２実施形態では、第１実施形態の構成部と同一構成部には同一参照番号を付して説明を省略することにする。また、第２実施形態では、第１実施形態と共通の作用効果および変形例については説明を省略することにし、第１実施形態と異なる構成についてのみ説明を行うことにする。
【００９６】
第２実施形態は、第１実施形態における外側テーパ部材４を、第１実施形態における第１リング１と一体とした点のみが、第１実施形態と異なる。
【００９７】
すなわち、第２実施形態では、第１リング１０１の貫通穴１３１の内周面が、テーパ内面としての円錐内周面１５０を有する構成になっている。
【００９８】
外側テーパ部材が、第１リングの貫通穴の内周面に一体に形成されていても、本発明の課題を解決できることは言うまでもない。
【００９９】
第２実施形態によれば、内側テーパ部材５を、第１リング１０１の貫通穴１３１の内周面（テーパ内面）およびこの貫通穴１３１に配置されているピン３の貫通穴配置部の外周面に容易に押し付けることができる。また、上記内側テーパ部材５のテーパ外面とテーパ内面との間、および、内側テーパ部材５の円筒内周面と貫通穴配置部の外周面との間に、所望の面圧を簡単安価に付与することができる。また、強度が優れたものになり、かつ、量産性が優れたものになる。
【０１００】
図５は、本発明の第３実施形態の円錐ころ軸受の軸方向の断面の端面図である。
【０１０１】
第３実施形態では、第１実施形態の構成部と同一構成部には同一参照番号を付して説明を省略することにする。また、第３実施形態では、第１実施形態と共通の作用効果および変形例については説明を省略することにし、第１実施形態と異なる構成についてのみ説明を行うことにする。尚、図５においても、７は、溶接部を示している。
【０１０２】
第３実施形態は、外側テーパ部材４の軸方向の向きを反対にすると共に、内側テーパ部材５の軸方向の向きを反対にした点のみが、第１実施形態と異なる。
【０１０３】
すなわち、第３実施形態では、外側テーパ部材４において円錐内周面の大径側の端面が、テーパ部材受止部３３側に位置するように、外側テーパ部材４を、第１リング１の貫通穴３１内に配置している。また、内側テーパ部材５において円錐外周面の大径側の端面が、テーパ部材受止部３３側に位置するように、内側テーパ部材５を、第１リング１の貫通穴３１内に配置している。
【０１０４】
第３実施形態のように、第１実施形態との比較において、外側テーパ部材４の軸方向の向きおよび内側テーパ部材５の軸方向の向きの両方を反対にしたとしても、第１リング１の貫通穴３１の内周面およびこの貫通穴３１に配置されているピン３の貫通穴配置部の外周面に所望の面圧を簡単安価に付与することができる。また、強度が優れたものになり、かつ、量産性が優れたものになる。
【０１０５】
図６は、本発明の第４実施形態の円錐ころ軸受の軸方向の断面の端面図である。
【０１０６】
第４実施形態では、第１実施形態の構成部と同一構成部には同一参照番号を付して説明を省略することにする。また、第４実施形態では、第１実施形態と共通の作用効果および変形例については説明を省略することにし、第１実施形態と異なる構成についてのみ説明を行うことにする。
【０１０７】
第４実施形態では、外側テーパ部材４の軸方向の向きを反対にすると共に、内側テーパ部材５の軸方向の向きを反対にした点が、第１実施形態と異なる。
【０１０８】
また、第４実施形態では、第１リング３０１が、テーパ部材受止部３３（図１参照）を有さないかわりに、ピン３０３において第１リング３０１の貫通穴３３１に配置されている部分が、移動防止部としての段部３３３を有する点が、第１実施形態と異なる。
【０１０９】
また、第４実施形態では、内側テーパ部材５の軸方向の第２リング２側の端面が、段部３３３に当接する点が、第１実施形態と異なる。
【０１１０】
また、第４実施形態では、ピン３０３の一端部の外周面が雄ねじを有すると共に、ねじ部材３０６の内周面が、雌ねじを有して、ピン３０３の雄ねじと、ねじ部材３０６の雌ねじとが螺合している点が、第１実施形態と異なる。ピン３０３は、第２リング側の他端部に雄ねじ３４２を形成している。
【０１１１】
また、第４実施形態では、外側テーパ部材４の軸方向の第２リング２とは反対側の端面が、ねじ部材３０６の軸方向の第２リング２側の端面と当接している。図１２は、上記ねじ部材３０６の斜視図である。図１２に示すように、上記ねじ部材３０６の軸方向の第２リング２側とは反対側の端面には、十字の切り欠きが形成されている。
【０１１２】
第４実施形態では、上記第１リング３０１の貫通穴３３１の内周面は、円筒内周面になっている。また、上記ピン３０３は、円柱形状を有し、第２リング２側の他端部に雄ねじ３４２を形成している。また、上記ピン３０３の一端部に、段部３３３と、小径部とを形成し、上記小径部は、段部３３３よりも軸方向の外方に位置している。また、この小径部に、小径部の一端から所定距離雄ねじ３３２を形成し、一端面に径方向に一字状の切欠きを形成している。上記切欠きは、ピン３０３の外周面において雄ねじ３３２が形成されている箇所に開口している。
【０１１３】
上記雄ねじ３３２の一部および不完全ねじ部は、外側テーパ部材４の一部に径方向に重なると共に、内側テーパ部材５の一部に径方向に重なっている。また、上記雄ねじ３３２の一部および不完全ねじ部は、テーパ内面（略環状の円錐内周面）においてテーパ外面（略環状の円錐外周面）と当接している部分の一部に径方向に重なっている。尚、上記雄ねじ３３２の一部および不完全ねじ部は、テーパ内面においてテーパ外面と当接している部分の１／２以下の部分、好ましくは、１／３以下の部分に重なることが好ましい。更に好ましくは、上記雄ねじの一部および不完全ねじ部は、テーパ内面においてテーパ外面と当接している部分に軸方向に間隔をおいて位置する方が良い。
【０１１４】
第４実施形態では、ピン３０３に螺合しているねじ部材３０６と、ピン３０３の段部３３３とで、外側テーパ部材４と内側テーパ部材５とを軸方向に押圧するようになっている。
【０１１５】
第４実施形態の構成でも、第１リング３０１の貫通穴３３１の内周面およびこの貫通穴３３１に配置されているピン３０３の貫通穴配置部の外周面に所望の面圧を簡単安価に付与することができる。また、強度が優れたものになり、かつ、量産性が優れたものになる。
【０１１６】
図７は、本発明の第５実施形態の円錐ころ軸受の軸方向の断面の端面図である。
【０１１７】
第５実施形態では、第４実施形態の構成部と同一構成部には同一参照番号を付して説明を省略することにする。また、第５実施形態では、第４実施形態と共通の作用効果および変形例については説明を省略することにし、第４実施形態と異なる構成についてのみ説明を行うことにする。
【０１１８】
第５実施形態は、内側テーパ部材５（図６参照）を、ピン３０３（図６参照）と、一体にした点のみが、第４実施形態と異なる。
【０１１９】
第５実施形態では、上記ピン４０３は、円柱形状を有し、第２リング２側の他端部に雄ねじ４４２を形成している。また、上記ピン４０３の一端部に、テーパ外面としての円錐外周面を形成し、上記円錐外周面は、軸方向の外方（第２リング２とは反対側）に行くにしたがって縮径している。また、上記ピン４０３は、円錐外周面の小径側に、段部と、小径部とを形成し、上記小径部は、段部よりも軸方向の外方（第２リング２とは反対側）に位置している。この小径部に、小径部の一端から所定距離雄ねじを形成し、一端面に径方向に一字状の切欠きを形成している。上記切欠きは、ピン４０３の外周面において雄ねじが形成されている箇所に開口している。
【０１２０】
第５実施形態の構成でも、外側テーパ部材４を、第１リング３０１の貫通穴３３１の内周面およびこの貫通穴３３１に配置されているピン４０３の貫通穴配置部の外周面（テーパ外面）に容易に押し付けることができる。また、上記外側テーパ部材４のテーパ内面とテーパ外面との間、および、外側テーパ部材４の円筒外周面と貫通穴３３１の内周面との間に所望の面圧を簡単安価に付与することができる。また、強度が優れたものになり、かつ、量産性が優れたものになる。
【０１２１】
図８は、本発明の第６実施形態の円錐ころ軸受の軸方向の断面の端面図である。
【０１２２】
第６実施形態では、第４実施形態の構成部と同一構成部には同一参照番号を付して説明を省略することにする。また、第６実施形態では、第４実施形態と共通の作用効果および変形例については説明を省略することにし、第４実施形態と異なる構成についてのみ説明を行うことにする。尚、図８においても、３０７は、溶接部を示している。
【０１２３】
第６実施形態は、外側テーパ部材４の軸方向の向きを反対にすると共に、内側テーパ部材５の軸方向の向きを反対にした点のみが、第４実施形態と異なる。
【０１２４】
すなわち、第６実施形態では、外側テーパ部材４において円錐内周面の小径側の端面が、段部３３３側に位置するように、外側テーパ部材４を、第１リング３０１の貫通穴３３１内に配置している。また、内側テーパ部材５において円錐外周面の小径側の端面が、段部３３３側に位置するように、内側テーパ部材５を、第１リング３０１の貫通穴３３１内に配置している。
【０１２５】
第６実施形態のように、第４実施形態との比較において、外側テーパ部材４の軸方向の向きおよび内側テーパ部材５の軸方向の向きの両方を反対にしたとしても、第１リング３０１の貫通穴３３１の内周面およびこの貫通穴３３１に配置されているピン３０３の貫通穴配置部の外周面に所望の面圧を簡単安価に付与することができる。また、強度が優れたものになり、かつ、量産性が優れたものになる。
【符号の説明】
【０１２６】
１,１０１,３０１  第１リング
２  第２リング
３,３０３,４０３  ピン
４  外側テーパ部材
５  内側テーパ部材
６,３０６  ねじ部材
７,３０７  溶接部
２１  第２リングのねじ穴
３１,１３１,３３１  第１リングの貫通穴
３２,３３２  一方の周面のねじ部
３３  テーパ部材受止部
３４  貫通穴の円筒内周面部
４１  ピンの外周円筒面部
４２,３４２,４４２  雄ねじ部
１５０  円錐内周面
３３３  段部
【図１】
0005477280.tif 000002
【図２】
0005477280.tif 000003
【図３】
0005477280.tif 000004
【図４】
0005477280.tif 000005
【図５】
0005477280.tif 000006
【図６】
0005477280.tif 000007
【図７】
0005477280.tif 000008
【図８】
0005477280.tif 000009
【図９】
0005477280.tif 000010
【図１０】
0005477280.tif 000011
【図１１】
0005477280.tif 000012
【図１２】
0005477280.tif 000013